(57)【要約】【課題】従来技術では、スタビライザがファンの回転方向に延びてファンとの距離が最短となる第１の突端を具備し、この突端より先端部にこの突端と同形状でファンとの距離を上記最短距離より大きくとる第２の突端をつけることにより、先端部においてスタビライザとファンとの干渉音を極力抑えながら、スタビライザとファンの間の空気の漏れ流れをファンへ流入できる。しかし、上記の形態では、第１の突端あるいは第２の突端に吸込み流れが衝突して乱れが生じ、流量性能の向上や騒音低減に抑制される。【解決手段】スタビライザ２の舌部２−Ａからファン３の回転方向のスタビライザ２−Ｂをファン３の同心円形状にすることによって、舌部２−Ａから上部に向けて流れが円滑になり乱れが少なくなり、風量性能が向上して、さらに低騒音化を図ることができる。【選択図】図１
2008261556.tif 000002
【特許請求の範囲】
【請求項１】
クロスフローファンと、スタビライザと、リアガイダと、熱交換器を備えた空気調和機であって、スタビライザの舌部から先端の送風路の形状が、ファンと同心円の形状になることを特徴とする空気調和機。
【請求項２】
前記送風路を形成するスタビライザにおいて、前記スタビライザの舌部から先端の送風路の裏面を、ファンと同心円の形状になることを特徴とする請求項１に記載の空気調和機。
【請求項３】
前記送風路を形成するスタビライザにおいて、前記スタビライザの先端を、概略スタビライザの厚さを直径としたアール形状にすることを特徴とする請求項１または２に記載の空気調和機。
【請求項４】
前記送風路を形成するスタビライザにおいて、前記スタビライザの舌部から先端の送風路の形状が、ファンと同心円の形状になり、前記スタビライザの舌部から先端へと送風路の裏面が徐々にファンに近づき、肉厚が小さくなることを特徴とする請求項１〜３のいずれかに記載の空気調和機。
【請求項５】
前記スタビライザの舌部の裏面の凹部の肉厚を厚くすることにより、熱交換器からの吸込み流れを円滑にすることを特徴とする請求項１〜４のいずれかに記載の空気調和機。
【請求項６】
前記スタビライザの舌部の裏面の凹部の肉厚を厚くして、風の流れる方向に一定間隔で溝を設けることをすることを特徴とする請求項１〜５のいずれかに記載の空気調和機。
【発明の詳細な説明】
【技術分野】
【０００１】
本発明は空気調和機に関するものである。
【背景技術】
【０００２】
従来、この種の空気調和機は、吸込み口から室内空気を吸込み、これを熱交換器での熱交換によって温度調節をした後、空調風として吹き出し口から室内へ吹き出すようになっているが、横断流送風機のスタビライザによって生じる空気流れの偏流や乱れを減少させて騒音を減少させ、流量性能を向上させる為に、スタビライザに種々の形状工夫を凝らしていた（例えば、特許文献１）。
【０００３】
図７、図８（ａ）（ｂ）は、特許文献１に記載された従来の空気調和機の室内機の斜視図、横断面図、スタビライザ付近の拡大図を示すものである。図７、図８に示すように、室内機１は、スタビライザ２がファン３の回転方向に延びてファン３との距離が最短となる第１の突端４を具備し、この突端４より先端部にこの突端４と同形状でファン３との距離を上記最短距離より大きくとる第２の突端５をつけることにより、先端部においてスタビライザ２とファン３との干渉音を極力抑えながら、スタビライザ２とファン３の間の空気の漏れ流れをファン３へ円滑に流入でき、流量性能が向上できる。このような方法では、横断流送風機のスタビライザ２によって生じる空気流れの偏流や乱れを減少させて騒音を減少させ、流量性能を向上させるものである。
【特許文献１】特開平１０−１６０１８５号公報
【発明の開示】
【発明が解決しようとする課題】
【０００４】
しかしながら、前記従来の構成では、第１の突端４あるいは第２の突端５に吸込み流れが衝突して乱れが生じ、流量性能の向上や騒音低減が抑制される。
【０００５】
また、第１の突端４から第２の突端５へと流れが拡散して乱れが大きくなる傾向にある。
【０００６】
さらに、第２の突端５の上部で熱交換器８からの吸込み流れとが衝突して、乱れが助長されるため、同様に流量性能の向上や騒音低減に抑制されることになるといった課題を有していた。
【０００７】
本発明は、前記従来の課題を解決するもので、スタビライザの舌部から先端の送風路の形状が、ファンと同心円の形状にする。これにより、スタビライザ舌部からファンの外周流れが、ファン外周形状と同形のため円滑になり、著しい突端が無いため、衝突による乱れがなく、流量性能の向上や騒音低減に繋がる。
【課題を解決するための手段】
【０００８】
前記従来の課題を解決するために、本発明の空気調和機は、クロスフローファンと、スタビライザと、リアガイダと、熱交換器を備え、スタビライザの舌部から先端の送風路の形状が、ファンと同心円の形状にする。
【発明の効果】
【０００９】
本発明は、スタビライザの舌部から先端の送風路の形状が、ファンと同心円の形状にする。これにより、スタビライザ舌部からファンの外周流れが、ファン外周形状と同形のため円滑になり、著しい突端が無いため、衝突による乱れがなく、流量性能の向上や騒音低
減が得られる。
【発明を実施するための最良の形態】
【００１０】
第１の発明は、クロスフローファンと、スタビライザと、リアガイダと、熱交換器を備えた空気調和機であって、スタビライザの舌部から先端の送風路の形状が、ファンと同心円の形状にするものである。
【００１１】
第２の発明は、送風路を形成するスタビライザにおいて、スタビライザの舌部から先端の送風路の裏面を、ファンと同心円の形状にするものである。
【００１２】
第３の発明は、送風路を形成するスタビライザにおいて、前記スタビライザの先端を、概略スタビライザの厚さを直径としたアール形状にするものである。
【００１３】
第４の発明は、送風路を形成するスタビライザにおいて、前記スタビライザの舌部から先端の送風路の形状が、ファンと同心円の形状になり、前記スタビライザの舌部から先端へと送風路の裏面が徐々にファンに近づき、肉厚が小さくなるものである。
【００１４】
第５の発明は、スタビライザの舌部の裏面の凹部の肉厚を厚くすることにより、熱交換器からの吸込み流れを円滑にするものである。
【００１５】
第６の発明は、スタビライザの舌部の裏面の凹部の肉厚を厚くして、風の流れる方向に一定間隔で溝を設けるものである。
【００１６】
以下、本発明の実施の形態について、図面を参照しながら説明する。なお、この実施の形態によって本発明が限定されるものではない。
【００１７】
（実施の形態１）
図７は従来の空気調和機の室内機の斜視図であるが、本発明の第１〜６の実施の形態における空気調和機も同様であるので、流用する。
【００１８】
図７において、室内機１は台枠６とこの台枠６の前方に取り付けられた前面カバー７とからなり、台枠６および前面カバー７の上部には、吸い込みグリルが設けられている。
【００１９】
図１は、本発明の第１の実施の形態における空気調和機の室内機のスタビライザ付近の拡大断面図であり、クロスフローファン３と、スタビライザ２と、熱交換器８を搭載した状態である。
【００２０】
スタビライザ２の舌部２−Ａからファン３の回転方向のスタビライザ２−Ｂをファン３の同心円形状にする。この形状によって、舌部３−Ａから上部に向けて流れが円滑になり乱れが少なくなる。よって、風量性能が向上して、さらに低騒音化を図ることができる。
【００２１】
（実施の形態２）
図２は、本発明の第２の実施の形態における空気調和機の室内機のスタビライザ付近の拡大断面図である。スタビライザ２の舌部２−Ａからファン３の回転方向のスタビライザ２−Ｂの裏面２−Ｃについても、ファン３の同心円形状にする。この形状によって、舌部２−Ａから上部に向けて流れ、すなわち２−Ｂ及び２−Ｃの同心円形状に沿っての流れが円滑になり乱れが少なくなる。よって、風量性能が向上して、低騒音化を図ることができる。
【００２２】
（実施の形態３）
図３は、本発明の第３の実施の形態における空気調和機の室内機のスタビライザ付近の拡大断面図である。スタビライザ２の舌部２−Ａからファン３の回転方向のスタビライザ２−Ｂ及び裏面２−Ｃをファン３の同心円形状にして、先端９をスタビライザ２の肉厚Ｔを直径とするアールにすることにより、２−Ｂ及び２−Ｃの同心円形状に沿っての流れが円滑に合流する。よって、乱れが抑制され、さらなる風量性能の向上と低騒音化を図ることができる。
【００２３】
（実施の形態４）
図４は、本発明の第４の実施の形態における空気調和機の室内機のスタビライザ付近の拡大断面図である。スタビライザ２の舌部２−Ａからファン３の回転方向のスタビライザ２−Ｂをファン３の同心円形状にして、裏面２−Ｃを徐々にファンに近づき肉厚が小さくしていく。これによって、２−Ｂ及び２−Ｃに沿っての流れが円滑に合流することにより、実施の形態３の効果がより助長され、さらなる風量性能の向上と低騒音化を図ることができる。
【００２４】
（実施の形態５）
図５は、本発明の第５の実施の形態における空気調和機の室内機のスタビライザ付近の拡大断面図である。スタビライザ２の舌部２−Ａの裏面２−Ｄを、肉厚が厚くなるようにして裏面の凹部を小さくする。この形状によって、スタビライザ２の舌部２−Ａの裏面２−Ｄに沿う流れを円滑にして、従来の裏面の凹部に発生する淀みを軽減することができる。これによって吸込み流れの乱れを抑制して、風量性能の向上と低騒音化を図ることができる。
【００２５】
（実施の形態６）
図６ａは、本発明の第６の実施の形態における空気調和機の室内機のスタビライザ付近の拡大断面図、図６ｂは、図６ａの正面図である。スタビライザ２の舌部２−Ａの裏面２−Ｄを、肉厚が厚くなるようにして裏面の凹部を小さくする。長手方向に一定間隔で溝１０を挿入することにより、成形の安定性を確保でき生産性が向上する。また、流れ方向に細長い溝が挿入されているため、性能が劣化が殆どない。
【産業上の利用可能性】
【００２６】
以上のように、本発明にかかる空気調和機は、送風の到達性の向上と低騒音化を促進することが可能となるので、貫流式の送風機を利用するエアーカーテン等の用途にも適用できる。
【図面の簡単な説明】
【００２７】
【図１】本発明実施の形態１における空気調和機の室内機のスタビライザ付近の拡大断面図
【図２】本発明実施の形態２における空気調和機の室内機のスタビライザ付近の拡大断面図
【図３】本発明実施の形態３における空気調和機の室内機のスタビライザ付近の拡大断面図
【図４】本発明実施の形態４における空気調和機の室内機のスタビライザ付近の拡大断面図
【図５】本発明実施の形態５における空気調和機の室内機のスタビライザ付近の拡大断面図
【図６ａ】本発明実施の形態６における空気調和機の室内機のスタビライザ付近の拡大断面図
【図６ｂ】図６ａの正面図
【図７】従来の空気調和機の室内機の斜視図
【図８】従来の空気調和機の室内機の（ａ）横断面図（ｂ）スタビライザ付近の拡大図
【符号の説明】
【００２８】
１  室内機
２  スタビライザ
３  クロスフローファン
４  第１の突端
５  第２の突端
６  台枠
７  前面カバー
８  熱交換器
９  先端
１０  溝
【図１】
2008261556.tif 000003
【図２】
2008261556.tif 000004
【図３】
2008261556.tif 000005
【図４】
2008261556.tif 000006
【図５】
2008261556.tif 000007
【図６ａ】
2008261556.tif 000008
【図６ｂ】
2008261556.tif 000009
【図７】
2008261556.tif 000010
【図８】
2008261556.tif 000011